(57)【要約】【課題】把持片がフライホイールの筒部の先端面からその先方に突出することがなく、またフライホイールを形成する素材の使用量を減らすことができ、且つ磁束の漏洩を防止できるフライホイール磁石回転子を得る。【解決手段】表面をマグネットケース２で覆った永久磁石３をフライホイール１の筒部１ａの内周に配置し、フライホイール１の筒部１ａの一部を加工して設けた把持片４で永久磁石３をマグネットケース２を介して筒部１ａに固定する。把持片４は筒部１ａの開口側の先端面より先に出ない位置で筒部１ａに設ける。マグネットケース２の延長部２ａを把持片４で筒部１ａに固定する。【選択図】  図１
2004153980.tif 000002
【特許請求の範囲】
【請求項１】
筒部と、該筒部の一端を閉塞している底部と、該底部の中心から前記筒部内に突設されているボス部とを備えたフライホイールと、表面がマグネットケースで覆われて前記フライホイールの前記筒部の内周に配置された永久磁石と、前記フライホイールの前記筒部の一部を加工して設けられて前記マグネットケースを把持することにより前記永久磁石を前記筒部に固定している把持片とを備えたフライホイール磁石回転子において、
前記把持片は前記筒部の開口側の先端面より先に出ない位置で前記筒部に設けられ、
前記マグネットケースはその延長部が前記把持片で前記筒部に固定されていることを特徴とするフライホイール磁石回転子。
【請求項２】
前記把持片は前記筒部の開口側の先端面の外周寄りの位置にＶ溝を設けて形成されていることを特徴とする請求項１に記載のフライホイール磁石回転子。
【請求項３】
前記Ｖ溝は前記筒部の内径寄りの面が湾曲されていることを特徴とする請求項２に記載のフライホイール磁石回転子。
【請求項４】
前記把持片は前記筒部の開口側の先端面の外周寄りの位置にＵ溝を設けて形成され、前記マグネットケースの前記延長部の先端の屈曲部が前記Ｕ溝の底部に添わされて前記把持片で前記筒部に把持されていることを特徴とする請求項１に記載のフライホイール磁石回転子。
【発明の詳細な説明】
【０００１】
【発明の属する技術分野】
本発明は、磁石発電機に用いられるフライホイール磁石回転子に関するものである。
【０００２】
【従来の技術】
従来のフライホイール磁石回転子は、図４及び図５に示すように、筒部１ａと、該筒部１ａの一端を閉塞している底部１ｂと、該底部１ｂの中心から筒部１ａ内に突設されているボス部１ｃとを備えたフライホイール１と、表面がマグネットケース２で覆われてフライホイール１の筒部１ａの内周に配置された永久磁石３と、フライホイール１の筒部１ａの一部を加工して設けられてマグネットケース２を把持することにより永久磁石３を筒部１ａに固定している把持片４とを備えた構造になっていた。この場合、把持片４は、筒部１ａの先端面にその先方に突出するように連接されていて、筒部１ａの内側に曲がるように屈曲されていて、その先端でマグネットケース２を介して永久磁石３を把持する構造であった（例えば、特許文献１，特許文献２参照。）。
【０００３】
【特許文献１】
実公昭５６−３４５３８号（第２図）
【０００４】
【特許文献２】
特開平１０−１４５９９５号（図１）
【０００５】
【発明が解決しようとする課題】
しかしながら、このようなフライホイール磁石回転子では、把持片４がフライホイール１の筒部１ａの先端面にその先方に突出するように連接されていて、該筒部１ａの内側に曲がるように屈曲された構造なので、該フライホイール磁石回転子の軸方向寸法が長くなり、またフライホイール１を形成する素材の使用量が増える問題点があった。また、把持片４の先端で永久磁石３上のマグネットケース２を直接押さえ付けているので、その影響により磁束の漏洩が起き、発電出力の低下をまねく問題点があった。
【０００６】
本発明の目的は、把持片がフライホイールの筒部の先端面からその先方に突出することがなく、またフライホイールを形成する素材の使用量を減らすことができ、且つ磁束の漏洩を防止できるフライホイール磁石回転子を提供することにある。
【０００７】
【課題を解決するための手段】
本発明は、筒部と、該筒部の一端を閉塞している底部と、該底部の中心から筒部内に突設されているボス部とを備えたフライホイールと、表面がマグネットケースで覆われてフライホイールの筒部の内周に配置された永久磁石と、フライホイールの筒部の一部を加工して設けられてマグネットケースを把持することにより永久磁石を前記筒部に固定している把持片とを備えたフライホイール磁石回転子を対象とする。
【０００８】
本発明に係るフライホイール磁石回転子では、
把持片は筒部の開口側の先端面より先に出ない位置で筒部に設けられ、
マグネットケースはその延長部が把持片で筒部に固定されていることを特徴とする。
【０００９】
このように把持片が筒部の開口側の先端面より先に出ない位置で筒部に設けられていると、フライホイール磁石回転子の軸方向寸法を短くすることができ、またフライホイールを形成する素材の使用量を減らすことができる。また、マグネットケースはその延長部が把持片で筒部に固定されていると、磁束の漏洩が起きず、発電出力の低下をまねかない利点がある。
【００１０】
この場合、把持片は筒部の開口側の先端面の外周寄りの位置にＶ溝を設けて形成されていることが好ましい。このようにすると、把持片を筒部の開口側の先端面より先に出ない位置で筒部に設けることを容易に行うことができる。
【００１１】
また、Ｖ溝は筒部の内径寄りの面が湾曲されていることが好ましい。このようにすると、この湾曲した面と把持片とでマグネットケースの延長部を把持できて、マグネットケースの延長部が抜けないような把持力を上げることができる。
【００１２】
また、把持片は筒部の開口側の先端面の外周寄りの位置にＵ溝を設けて形成され、マグネットケースの延長部の先端の屈曲部がＵ溝の底部に添わされて把持片で筒部に把持されていること好ましい。このようにすると、Ｕ溝の底部と把持片とでマグネットケースの延長部の先端の屈曲部を把持できて、マグネットケースの延長部が抜けないように把持することができる。
【００１３】
【発明の実施の形態】
図１は本発明に係るフライホイール磁石回転子の実施の形態の第１例の要部縦断面図である。なお、前述した図４及び図５と対応する部分には、同一符号を付けて示している。
【００１４】
本例のフライホイール磁石回転子では、把持片４は筒部１ａの開口側の先端面より先に出ない位置で筒部１ａに設けられている。即ち、本例では、筒部１ａの開口側の先端面の外周寄りの位置で、該筒部１ａの開口側の先端面にＶ溝５ａを設けて、該筒部１ａの外周寄りの位置に、該筒部１ａの開口側の先端面より先に出ないようにして把持片４を形成している。
【００１５】
マグネットケース２は、その延長部２ａが該把持片４を形成したＶ溝５ａに入れられ、Ｖ溝５ａをつぶすように該把持片４を筒部１ａ側に倒して押圧することにより、延長部２ａの先端が把持されて筒部１ａに固定されている。
【００１６】
このように把持片４が筒部１ａの開口側の先端面より先に出ない位置で筒部１ａに設けられていると、フライホイール磁石回転子の軸方向寸法を短くすることができ、またフライホイール１を形成する素材の使用量を減らすことができる。さらに、マグネットケース２はその延長部２ａが把持片４で筒部１ａに固定されていると、磁束の漏洩が起きず、発電出力の低下をまねかない利点がある。
【００１７】
図２は本発明に係るフライホイール磁石回転子の実施の形態の第２例の要部縦断面図である。なお、前述した図１と対応する部分には、同一符号を付けて示している。
【００１８】
本例のフライホイール磁石回転子では、筒部１ａの開口側の先端面の外周寄りの位置で、該筒部１ａの開口側の先端面にＶ溝５ａを、その片側で筒部１ａの内径側の面を湾曲面６として設けて、該筒部１ａの外周寄りの位置に、該筒部１ａの開口側の先端面より先に出ないようにして把持片４を形成している。本例では、溝５ａの片側で筒部１ａの内径側の湾曲面６にマグネットケース２の延長部２ａの先端部を添わせて、把持片４で押さえ付けて把持している。その他の構成は、第１例と同様になっている。
【００１９】
このような構成でも、第１例と同様な効果を得ることができる。特に本例では、溝５ａの片側で筒部１ａの内径側の湾曲面６にマグネットケース２の延長部２ａの先端部を添わせて、把持片４で押さえ付けて把持しているので、マグネットケース２の延長部２ａが抜けないような把持力を上げることができる。
【００２０】
図３は本発明に係るフライホイール磁石回転子の実施の形態の第３例の要部縦断面図である。なお、前述した図１と対応する部分には、同一符号を付けて示している。
【００２１】
本例のフライホイール磁石回転子では、筒部１ａの開口側の先端面の外周寄りの位置で、該筒部１ａの開口側の先端面にＵ溝５ｂを設けて、該筒部１ａの外周寄りの位置に、該筒部１ａの開口側の先端面より先に出ないようにして把持片４を形成している。本例では、マグネットケース２の延長部２ａの先端の屈曲部２ａａをＵ溝５ｂの底部に添わせ、この底部に添った屈曲部２ａａを把持片４で押さえ付けて把持している。その他の構成は、第１例と同様になっている。
【００２２】
このような構成でも、第１例と同様な効果を得ることができる。特に本例では、マグネットケース２の延長部２ａの先端の屈曲部２ａａをＵ溝５ｂの底部に添わせて、この底部に添わせた屈曲部２ａａを把持片４で押さえて把持しているので、マグネットケース２の延長部２ａが抜けないような把持力を上げることができる。
【００２３】
【発明の効果】
本発明に係るフライホイール磁石回転子では、把持片が筒部の開口側の先端面より先に出ない位置で筒部に設けられているので、フライホイール磁石回転子の軸方向寸法を短くすることができ、またフライホイールを形成する素材の使用量を減らすことができる。さらに、マグネットケースはその延長部が把持片で筒部に固定されているので、磁束の漏洩が起きず、発電出力の低下をまねかない利点がある。
【００２４】
この場合、把持片が筒部の開口側の先端面の外周寄りの位置にＶ溝を設けて形成されていると、把持片を筒部の開口側の先端面より先に出ない位置で筒部に設けることを容易に行うことができる。
【００２５】
また、Ｖ溝は筒部の内径寄りの面が湾曲されていると、この湾曲した面と把持片とでマグネットケースの延長部を把持できて、マグネットケースの延長部が抜けないような把持力を上げることができる。
【００２６】
また、把持片は筒部の開口側の先端面の外周寄りの位置にＵ溝を設けて形成され、マグネットケースの延長部の先端の屈曲部がＵ溝の底部に添わされて把持片で筒部に把持されていること好ましい。このように、マグネットケースの延長部の先端の屈曲部をＵ溝の底部に添わせて把持片で筒部に把持させると、マグネットケースの延長部が抜けないような把持力を上げることができる。
【図面の簡単な説明】
【図１】本発明に係るフライホイール磁石回転子の実施の形態の第１例の要部縦断面図である。
【図２】本発明に係るフライホイール磁石回転子の実施の形態の第２例の要部縦断面図である。
【図３】本発明に係るフライホイール磁石回転子の実施の形態の第３例の要部縦断面図である。
【図４】従来のフライホイール磁石回転子の縦断面図である。
【図５】図４に示すフライホイール磁石回転子のＡ部の拡大縦断面図である。
【符号の説明】
１  フライホイール
１ａ  筒部
１ｂ  底部
１ｃ  ボス部
２  マグネットケース
２ａ  延長部
２ａａ  屈曲部
３  永久磁石
４  把持片
５ａ  Ｖ溝
５ｂ  Ｕ溝
６  湾曲面
【図１】
2004153980.tif 000003
【図２】
2004153980.tif 000004
【図３】
2004153980.tif 000005
【図４】
2004153980.tif 000006
【図５】
2004153980.tif 000007